(57)【要約】【課題】長尺となるケースを立てることなく、横向きの安定した状態で使用することができ、しかも、治療部として同時に２個所を使用することができて、すぐれた磁気治療効果を発揮することができる充電タイプの電池式磁気治療器を提供することを課題とする。【解決手段】励磁用コイル２として、ボビン４にＬ型板状鉄芯５、６を両側から挿入したものを用い、前記Ｌ型板状鉄芯５、６の垂直部先端をケース１の同一構成面１ａに向けて設置し、前記ケース１の前記構成面１ａを治療面としたことを特徴とする。かかる構成とすることにより、一方のＬ型板状鉄芯５の垂直部先端から出る磁力線がケース１の同一構成面１ａに向かう他方のＬ型板状鉄芯６の垂直部先端に戻るので、当該構成面１ａが治療面となり、当該構成面１ａを安定状態にて患部に当てることが可能となる。【選択図】        図１
2004305359.tif 000002
【特許請求の範囲】
【請求項１】
励磁用コイルとして、ボビンにＬ型板状鉄芯を両側から挿入したものを用い、前記Ｌ型板状鉄芯の垂直部先端をケースの同一構成面に向けて設置し、前記ケースの前記構成面を治療面としたことを特徴とする充電タイプの電池式磁気治療器。
【請求項２】
前記Ｌ型板状鉄芯は、複数枚の板材を重ね合わせたものである請求項１に記載の充電タイプの電池式磁気治療器。
【請求項３】
前記Ｌ型板状鉄芯の垂直部先端に突起部を設けた請求項１又は２に記載の充電タイプの電池式磁気治療器。
【請求項４】
前記ケースの前記一構成面の内面に、前記Ｌ型板状鉄芯の垂直部先端部を収める凹陥部を設けた請求項１乃至３のいずれかに記載の充電タイプの電池式磁気治療器。
【請求項５】
前記Ｌ型板状鉄芯の垂直部に、前記凹陥部の端縁に載ることにより、前記垂直部先端部と前記凹陥部内底面との間に間隙を保持可能にする段部を設けた請求項４に記載の充電タイプの電池式磁気治療器。
【発明の詳細な説明】
【０００１】
【発明の属する技術分野】
本発明は充電タイプの電池式磁気治療器、より詳細には、交流磁界による磁気を患部に作用させ、血行を促進させてコリをなくす磁気治療を行う、家庭用の電気磁気治療器であって、充電タイプの電池式磁気治療器に関するものである。
【０００２】
【従来の技術】
家庭用電気磁気治療器は、家庭用の商用電源を用いて交流磁気を発生させるもので、永久磁石を用いた磁気治療器に対し、Ｎ極とＳ極が交互に入れ替わる、磁力（強さ）が変わる、作用する範囲が広い、着衣のまま使用可能、血液の流れに関係なく体内に電気を起こす（永久磁石の場合は、磁力内を血液が流れることによって血液に電気を起こす。）、といった特長を挙げることができる。
【０００３】
上記家庭用電気磁気治療器で、その励磁用コイルに商用電源より電圧を供給する場合には、十分な電圧が供給されて十分な磁力が得られる。しかし、携帯可能でどこでも手軽に使用できる利点のある充電タイプの電池式磁気治療器の場合は、通例、電圧が１０ボルト前後と低いものとなるため、十分な磁力が得られない。
【０００４】
十分な磁力を得るためにはコイル２１の巻数を多くする必要があり、そのためにコイルを巻くボビン２２の長さＬは、長いものとなる（図３参照）。
【０００５】
また、ボビン２２内に鉄芯２３が挿入され、磁気治療器においては、ボビン２２から突出した鉄芯２３の端面が治療面となる。即ち、図３に示すような励磁用コイルを用いる場合、磁力線の出入する鉄芯２３の端面が治療面となり、この鉄芯２３の端面は治療器ケース２４の側面に対向するので、治療はケース２４を立てて行わなければならない不都合が生ずる。
【０００６】
【発明が解決しようとする課題】
上述したように、充電タイプの電池式磁気治療器の場合は、ボビン２２、鉄芯２３並びにケース２４が長くなり、治療面となる鉄芯２３の一端面を患部に当てるためにケース２４を立てた不安定な状態としなくてはならない不都合があったので、本発明はそのような不都合のない、即ち、長尺となるケースを立てることなく、横向きの安定した状態で使用することができ、しかも、治療部として同時に２個所を使用することができて、すぐれた磁気治療効果を発揮することができる充電タイプの電池式磁気治療器を提供することを課題とする。
【０００７】
【課題を解決するための手段】
上記課題を解決するための本発明に係る充電タイプの電池式磁気治療器は、励磁用コイルとして、ボビンにＬ型板状鉄芯を両側から挿入したものを用い、前記Ｌ型板状鉄芯の垂直部先端をケースの同一構成面に向けて設置し、前記ケースの前記構成面を治療面としたことを特徴とする。
【０００８】
かかる構成とすることにより、一方のＬ型板状鉄芯の垂直部先端から出る磁力線がケースの同一構成面に向かう他方のＬ型板状鉄芯の垂直部先端に戻るので、当該構成面が治療面となり、当該構成面を安定状態にて患部に当てることが可能となる。
【０００９】
好ましくは、前記Ｌ型板状鉄芯は、複数枚の板材を重ね合わせたものとする。かかる構成とすることにより、うず電流の発生を防止して発熱を防ぐことができる。
【００１０】
また、前記Ｌ型板状鉄芯の垂直部先端に突起部を設けることが好ましい。かかる構成とすることにより、磁気を突起部に集中させて、磁気効果を高めることが可能となる。
【００１１】
更に、前記ケースの一構成面の内面に、前記Ｌ型板状鉄芯の垂直部先端部を収める凹陥部を設けることが好ましい。この構成の場合、凹陥部の底面が肉薄となるため、そこを磁力線が通過しやすくなる。
【００１２】
この場合はまた、前記Ｌ型板状鉄芯の垂直部に、前記凹陥部の端縁に載ることにより、前記垂直部先端部と前記凹陥部内底面との間に間隙を保持可能にする段部を設けることが好ましい。そのような構成とした場合は、肉薄の凹陥部底面が、励磁用コイルの荷重によって破損するおそれがなくなる。
【００１３】
【発明の実施の形態】
本発明の実施の形態を添付図面に依拠して説明する。図１は、本発明に係る充電タイプの電池式磁気治療器の要部縦断面図であり、該磁気治療器は、通例プラスチック製の箱型ケース１内に、励磁用コイル２と、充電タイプの電池（図示していない）と、回路（図示していない）とを組み込んで成る。
【００１４】
励磁用コイル２は、図２に示すように、コイル３を巻装したボビン４内に、Ｌ型板状鉄芯５、６を両側から挿入したものである。両側から挿入されるＬ型板状鉄芯５、６は、うず電流の発生を防止して発熱を防ぐために、通例、薄手の板材を何枚か重ね合わせたものとされる。
【００１５】
Ｌ型板状鉄芯５、６は板状であるため、両側からボビン４内に挿入した場合、それぞれの短尺の垂直部は、同じ向きとなるか、あるいは、反対向きとなるが、本発明の場合は、同じ向きとなるように挿入される。
【００１６】
励磁用コイル２は上記構成のため、ケース１内に設置された場合、Ｌ型板状鉄芯５、６の各垂直部先端７、８は、ケース１の一構成面１ａに向く。この一構成面１ａが治療面となるため、治療部９、１０が２個所となる。垂直部先端７、８は、磁気を集中させるために、先細に突出させることが好ましい。
【００１７】
磁気は、距離に反比例して極端に低下する。そのため、ケース１の肉厚はできるだけ薄いことかが好ましいが、一方において、ケース１全体の剛性を確保しなければならないため、ある程度の厚さが要求される。そこで本発明においては、一構成面１ａに、垂直部先端７、８が収まる凹陥部１１、１２を設けることとした。この凹陥部１１、１２を設ける場合、凹陥部１１、１２の底面の肉厚は薄いため、磁力線が通過しやすくなる。
【００１８】
凹陥部１１、１２の底面は、当然のことながら、肉薄となる分強度的にもろいものとなるので、そこに励磁用コイル２の重量が集中した場合、突き抜け破損が起こりやすい。そこで、本発明においては、かかる事態の発生を防止するため、垂直部先端部７、８が凹陥部１１、１２の内底面に当たらないようにしている。即ち、垂直部先端部７、８の一部を切り欠いて段部１３、１４を形成し、段部１３、１４が凹陥部１１、１２の上端縁上に載ることにより、垂直部先端部７、８と凹陥部１１、１２の内底面との間に、間隙が保持されるようにしている。
【００１９】
【発明の効果】
本発明は上述した通りであって、コイルの巻数を多くすることに伴って長尺となるケースを立てることなく、横向きの安定した状態で使用することができ、しかも、治療部として同時に２個所を使用することができて、すぐれた磁気治療効果を発揮することができる充電タイプの電池式磁気治療器を提供し得る効果がある。
【図面の簡単な説明】
【図１】本発明に係る電池式磁気治療器の要部縦断面図である。
【図２】本発明に係る電池式磁気治療器において用いる励磁用コイルの分解斜視図である。
【図３】従来の励磁用コイルの構成を示す図である。
【符号の説明】
１    ケース
２    励磁用コイル
３    コイル
４    ボビン
５    鉄芯
６    鉄芯
７    垂直先端部
８    垂直先端部
９    治療部
１０    治療部
１１    凹陥部
１２    凹陥部
１３    段部
１４    段部
【図１】
2004305359.tif 000003
【図２】
2004305359.tif 000004
【図３】
2004305359.tif 000005